(57)【要約】  使用中、三次元取付け構造を提供するため、白紙の厚紙又は少なくとも一つの折り畳み可能な拡張部（１４）を有する本質的に主要な部分を有する折り畳み可能な材料である取付け要素と；主要な部分より大きな画像担持媒体（２２）と；使用中、画像担持要素が主要な部分（１２）の少なくとも一つの折り畳み可能な拡張部（１４）へ延長するように、画像担持要素を白紙の主要な部分に付着させる手段と；を含む美術品の取付け台。【選択図】図１
2012533457.tif 000002
【特許請求の範囲】
【請求項１】
取付け要素と画像担持要素とを含む画像取付けシステムであって、該取付け要素は、使用中、三次元取付け構造を提供するため、少なくとも一つの折り畳み可能な拡張部を有する本質的に主要な部分を有する折り畳み可能な材料の白紙と；該主要な部分より大きな画像担持媒体と；使用中、該画像担持要素が該主要な部分の少なくとも一つの該折り畳み可能な拡張部へ延長するように、該画像担持要素を該白紙の該主要な部分に付着させる手段と；を含む、画像取付けシステム。
【請求項２】
前記折り畳み可能な材料が厚紙である、請求項１記載の画像取付けシステム。
【請求項３】
前記折り畳み可能な材料がハニカムボードである、請求項１記載の画像取付けシステム。
【請求項４】
前記折り畳み可能な材料が波形ボードである、請求項１記載の画像取付けシステム。
【請求項５】
前記画像が美術品である、請求項１から請求項４のいずれか一項に記載の画像取付けシステム。
【請求項６】
前記画像担持要素が紙、キャンバス又は類似した媒体である、請求項５記載の画像取付けシステム。
【請求項７】
前記白紙の前記主要な部分が本質的に矩形である、請求項１から請求項６のいずれか一項に画像取付けシステム。
【請求項８】
前記白紙の表面の部分が接着剤を担持する、請求項１から請求項７のいずれか一項に記載の画像取付けシステム。
【請求項９】
前記接着剤が無酸性の接着剤である、請求項８記載の画像取付けシステム。
【請求項１０】
前記接着剤を露出させるために取り除かれ得る保護層によって、該接着剤が被覆される、請求項９記載の画像取付けシステム。
【請求項１１】
前記画像担持要素の下側表面が接着剤を担持する、請求項１〜１０のうちいずれか一項に記載の画像取付けシステム。
【請求項１２】
請求項１〜１１のうちいずれか一項に記載の画像取付けシステムに用いられる強化用備品。
【請求項１３】
媒体を構造に取り付ける方法であって、該媒体が前記主要な部分の少なくとも一つの前記折り畳み可能な拡張部へ延長するように、白紙の厚紙又は少なくとも一つの折り畳み可能な拡張部を有する本質的に主要な部分を有する折り畳み可能な材料を含む取付け台に該媒体を付着させるステップと；使用中に、三次元取付け構造を提供するため、該白紙の該拡張部又はその各々を折り畳むステップと；を含む、方法。
【請求項１４】
前記取付け台に又はその上に補強手段を組み込むステップをさらに含む、請求項１３記載の構造に媒体を取り付ける方法。
【請求項１５】
波形ボードを一体の接着剤剥離ライナにより形成する方法であって、接着剤積層体を作成するステップと、該ボードの製造プロセスの間、該接着剤積層体を該波形ボードに組み込むステップとを含む、方法。
【請求項１６】
前記接着剤積層体は、上部が白いクラフトライナ、感圧型接着剤、及び、シリコン化された剥離ライナの組合せを含む、請求項１５記載の方法。
【発明の詳細な説明】
【技術分野】
【０００１】
本発明は、美術品の取付け台に関するものである。特に本発明は、白紙の又は印刷、塗布された、又は、他に装飾された媒体の展示用取付け台に関するものである。本発明は、そのような取付け台の作成の方法及び組立にも関連する。
【背景技術】
【０００２】
消費者は、美術作品が印刷又は塗布される多くの異なる媒体を入手することができる。
【０００３】
前述の説明は、主に媒体に印刷される美術品を議論しているが、塗布される又は他のいかなる方法で媒体に配置される美術品にも等しく適用することが、本発明において明確に認識される。さらに、美術品は、必ずしも芸術的な質を有する必要がない画像、写真又は画像などを含むと認識される。
【０００４】
ますます普及している媒体は、キャンバスである。伝統的に、印刷した美術品のキャンバスは通常木でできている単純な枠組構造全体に広げられる。そのようなキャンバスを取り付ける方法における一つの問題は、ある期間後にキャンバスを再び広げる必要があることである。キャンバスを再び広げる方法は長年にわたって単純化されてきたが、キャンバスがゆっくりその張力を失う一方で美術品がその質を失いはじめることがまだ問題である。伝統的な拡張技術は、熟練、ノウハウ及び専門の装置を必要として、実行するのが比較的遅いものである。
【０００５】
本発明は、構成するのが容易であり、張力の損失のために劣化しないように取付け台上にキャンバス又は他のいかなる媒体も保持することができる単純な取付け台を提供するために、上述した不都合を軽減しようと追求するものである。さらに、本発明は、分解された形状で、少量の格納スペースしか必要とせず、容易に移動できる取付け台を提供するものである。
【発明の概要】
【課題を解決するための手段】
【０００６】
一態様において、取付け要素及び画像担持要素を含む画像取付けシステムが提供され、取付け要素は、使用中、三次元取付け構造を提供するため、白紙の厚紙、又は、少なくとも一つの折り畳み可能な拡張部を有する本質的に主要な部分を有する折り畳み可能な材料；主要な部分より大きな画像担持媒体と；使用中、画像担持要素が主要な部分の少なくとも一つの折り畳み可能な拡張部へ延長するように、画像担持要素を白紙の主要な部分に付着させる手段と；を有する。
【０００７】
白紙は、代わりに波形又はハニカムボードから作成されてもよい。
【０００８】
好ましくは、画像は美術品である。
【０００９】
好ましくは、画像担持要素は、紙、キャンバス、又は、類似した媒体である。
【００１０】
好ましくは、白紙の主要な部分は、本質的に矩形である。
【００１１】
好ましくは、白紙の表面の部分は、接着剤を担持する。代わりに又は加えて、画像担持要素の下側表面は、接着剤を担持する。
【００１２】
なお好ましくは、接着剤は無酸性の接着剤である。
【００１３】
好ましくは、接着剤を露出させるために取り除くことができる保護層によって、接着剤は被覆される。
【００１４】
第２の態様によれば、第１の態様によるシステムにおいて用いられるように、強化用の備品が提供される。
【００１５】
第３の態様によれば、媒体を構造に取り付ける方法が提供され、その方法は、以下のステップ：媒体が主要な部分の少なくとも一つの折り畳み可能な拡張部へ延長するように、白紙の厚紙又は少なくとも一つの折り畳み可能な拡張部を有する本質的に主要な部分を有する折り畳み可能な材料を含む取付け台に媒体を付着させるステップと；使用中に、三次元取付け構造を提供するため、白紙の拡張部又はその各々を折り畳むステップと；を含む。
【００１６】
白紙は、代わりに波形又はハニカムボードから作成されてもよい。
【００１７】
好ましくは、方法は、取付け台に又はその上に補強手段を組み込むステップをさらに含む。
【００１８】
第４の態様によれば、波形ボードを一体の接着剤の剥離ライナにより形成する方法が提供され、その方法は、以下のステップ：接着剤積層体を作成するステップと、ボードの製造プロセスの間接着剤積層体を波形ボードに組み込むステップと、を含む。
【００１９】
白紙は、代わりにハニカムボードから作成されてもよい。
【００２０】
好ましくは、接着剤積層体は、上部が白いクラフトライナ、感圧型接着剤、及び、シリコン化された剥離ライナの組合せを含む。
【図面の簡単な説明】
【００２１】
本発明の一実施態様は、添付の図に関して例としてここに記載される。図面の説明は以下の通りである：
【図１】図１は、本発明によるその白紙の形状の取付け要素を示す；
【図２】図２は、構成された形状における図１の取付け要素の裏面を示す；
【図３】図３は、補強手段を有する図１及び２の取付け要素の裏面を示す；
【図４】図４は、本発明により画像を担持する図１から３の取付け要素を示す。
【発明を実施するための形態】
【００２２】
図１を参照すると、本発明は、厚紙又は他の折り畳み可能な材料の単一の白紙１０から形成される画像取付け要素を含む。
【００２３】
白紙１０は、一般に矩形の部分１２、及び、四つの折り畳み可能な拡張部１４を有する。各々の拡張部１４は、三つの別々の切り目をつけられた折り目線１６、１８、２０を有する。切り目をつけられた折り目線は、図の破線に示される。
【００２４】
図２を参照してわかるように、拡張部１４は使用中に三次元取付け台を形成するために折り畳み可能である。図２は、下側からの、構成された形状における取付け台を示す（すなわち、後で記載されるように、画像を担持している媒体２２は図に示される矩形部の他の側に付着される）。
【００２５】
拡張部１４の折り畳みのメカニズムは、ここに記載される。実際には、媒体２２は、白紙が折り畳まれる前に白紙に付着されることに留意のこと。
【００２６】
三次元取付け台を構成するために、まずタブＡは、内側に折り畳まれる。これは、取付け台の周囲の壁を形成する。タブＢが、それから内側に折り畳まれる。これは、取付け台の周囲の背面を形成する。タブＣが、それから内側に折り畳まれる。これは、内側の周囲壁を形成する。最後に、タブＤは、矩形部１２の内面に付着する又は別途固定するため内側に折り畳まれる（タブＤは、図２及び３に示されない）。
【００２７】
矩形部１２及び拡張部Ａは、接着剤の層によって被覆される。好ましくは、接着剤は拡張部Ｂ、Ｃ及びＤの上にも延長する。
【００２８】
接着剤は、好ましくは厚紙の白紙１０又は媒体２２上に有害な影響を有しない非酸性の接着剤である。
【００２９】
保護カバーは、適切な時に接着剤を露出させるために単に剥離することによって、取り除くことができる接着材層の上に提供される。
【００３０】
使用中に、保護カバーは取り除かれ、媒体２２は、取付け台が白紙の形状である一方で、矩形の部分１２に少なくとも拡張部Ａで付着する。
【００３１】
各々の拡張部１４はそれから、三次元取付け台を構成するため、記載された方法で折り畳まれる。取付け台に付着している媒体２２はそれにより、構造上で支えられる。それに付着された美術品を担持している媒体２２を有する取付け台は、図４に示される。
【００３２】
ここでまた図２を参照すると、取付け台の下側角は、組立てを固定する手段を提供する、及び／又は、次の取付け及び使用において保護を壁に提供するため、いくつかの粘着テープ又はフエルト２４を備える。
【００３３】
別の実施態様において、粘着テープ又はフエルトは、取付け台周囲の裏面全体又は少なくとも大半に沿って延長する。
【００３４】
図３は、組立ての頑丈さ及び剛性を増やすため、周囲の壁の間の取付け台の背部に配置されるさらなる矩形の構造又は他の補強手段２６を含む本発明の別の実施態様を示す。補強手段２６は、伝統的な壁の取付け台を受容する一以上の開口２８を有する。
【００３５】
いうまでもなく、記載される取付け台は一般に矩形であり、取付け台はいかなる形状（例えば円）という形もとることができると明確に認識される。その場合、タブの折り目線は、再構築される必要があり、必要ならば、切込みがタブにおいて作成される。
【００３６】
上記の説明は接着材層を形成されたボードに適用することを議論するが、ボード自体の製造プロセスの間に接着剤積層体を波形ボード又はハニカムボードに組み込むことができると出願人は認識している。これは、例えば、１３５ｇの上部が白いクラフトライナ、感圧型接着剤、及び、シリコン化された剥離ライナのようにカスタムメイドの接着剤積層体の作成に関連するものである。積層体は、それから製造プロセスの間、波形ボード又はハニカムボードに適用される。
【００３７】
前述のものが単に実施態様の例、及び、それらの使用のいくつかの例のみであることはいうまでもない。修正が発明の範囲から逸脱することなく作成され得ると直ちに当業者に理解される。
2012533457.tif 000003
2012533457.tif 000004
2012533457.tif 000005
2012533457.tif 000006
【国際調査報告】
2012533457.tif 000007
2012533457.tif 000008
2012533457.tif 000009
2012533457.tif 000010
2012533457.tif 000011